(57)【要約】      （修正有）【課題】効率的な葉菜類の水切り機を提供することを課題とする。【解決手段】パネルで囲繞した箱体２の床部１３にモータＭで回転する円盤１６を設置し、前記箱体の１側のパネルに大きな作業用扉６を設け、箱体の１側にはコントロールボックス１０を配置し、前記円盤の上面内央にはコンテナ２１を載置するための支持枠２０を設置し、前記支持枠には載置したコンテナを固定するための留め金具２３を対向する位置に設けたことを特徴とする葉菜類水切り機１とした。【選択図】なし【実用新案登録請求の範囲】
【請求項１】
本体の周囲をパネル（４）で囲繞して箱体（２）とし、前記箱体（２）の１側にモータ（Ｍ）とインバータ（１１）を内蔵するコントロールボックス（１０）を形成し、箱体床部（１３）の中央には垂直な回転軸（１５）を貫通して設け、その上端に水平の円盤（１６）を設置して、前記モータ（Ｍ）を駆動させることによりＶベルト（１４）及び前記回転軸（１５）を介して前記円盤（１６）を回転させる葉菜類水切り機（１）であって、
前記コントロールボックス（１０）部分を除く他の１側のパネル（４）に、葉菜（Ｗ）を充填したコンテナ（２１）を出納するための作業用扉（５）を設け、前記円盤（１６）の上面内央には前記コンテナ（２１）を載置、固定するための直方体状の支持枠（２０）を設置し、前記支持枠（２０）にはコンテナ（２１）を固定するための留め金具（２３）２個を対向した位置に設けたことを特徴とする葉菜類水切り機。
【考案の詳細な説明】
【技術分野】
【０００１】  本考案は、水洗いした後の葉菜に付着した余分な水分を取り除き品質の低下を防ぐための効率的な葉菜類水切り機を提供する。
【背景技術】
【０００２】  従来技術には、吊垂して移動する葉菜に、左右に整列した複数のノズルから送風して水切りするもの（特許文献１、請求項５及び図７のａ図、ｂ図を参照）、また、サラダ用の葉菜の水切りをする装置（特許文献２、段落〔０００９〕及び図１を参照）、そして、露地植え葉菜の脱水機がある（特許文献３、段落〔０００６〕及び図１を参照）。
【特許文献１】特許第３４４８７０８号公報、
【特許文献２】特開２００２−０１０９２５公報
【特許文献３】特開平０７−３２７６５２公報
【考案の開示】
【考案が解決しようとする課題】
【０００３】  本考案は主として水耕栽培の葉菜（三つ葉等）を対象とした葉菜類水切り機であり、余分な水分を含んだ商品はその部分から傷み出荷後の品質低下を招くという不具合があり、それに対応すべく、葉菜入りのコンテナをすばやく水切り室の中に載置し、作業終了後すばやくそれを取り出し、作業員が楽な姿態でその作業をなし得るよう課題を解決することにある。【０００４】  前記特許文献１のように、吊垂した葉菜類に風を吹きつけるだけでは十分な水切り効果が得られず、前記特許文献２に示されたものは、単なる卓上水切り装置に過ぎず、前記特許文献３では、露地植え野菜の小松菜、チンゲン菜、ほうれん草等の軟弱、広葉野菜を対象としているため、脱水にはかなりの時間を要し（１４０ｒｐｍで３分かかると書いてある）、そのため特殊な構成をしており、本考案の分野における有効な装置は未だなかった。
【課題を解決するための手段】
【０００５】  前記目的を達成するために、本考案は、本体の周囲をパネル４で囲繞して箱体２とし、前記箱体２の１側にモータＭとインバータ１１を内蔵するコントロールボックス１０を形成し、箱体床部１３の中央には垂直な回転軸１５を貫通して設け、その上端に水平の円盤１６を設置して、前記モータＭを駆動させることによりＶベルト１４及び前記回転軸１５を介して前記円盤１６を回転させる葉菜類水切り機１であって、
前記コントロールボックス１０部分を除く他の１側のパネル４に、葉菜Ｗを充填したコンテナ２１を出納するための作業用扉５を設け、前記円盤１６の上面内央には前記コンテナ２１を載置、固定するための直方体状の支持枠２０を設置し、前記支持枠２０にはコンテナ２１を固定するための留め金具２３を対向した位置に設けたことを特徴とする葉菜類水切り機としたものである。
【考案の効果】
【０００６】  本考案は、周囲をパネル４で囲繞したことにより、遠心分離作用で水滴が四方に飛散するのを防ぎ、１側にコントロールボックス１０を設けており、四季や、天候又は葉菜Ｗの状態により、変化する条件に適合する時間や回転速度の設定ができるようにした。【０００７】  １側に大きな作業用扉５を設けたことにより、コンテナ２１を出納することを容易にし、円盤１６の上面内央にコンテナ２１を載置するための直方体状の支持枠２０を設置し、そこに留め金具２３を対向した位置に設けて、コンテナ２１を容易に円盤１６上に載置、固定することが出来、その回転によって、効果的に葉菜Ｗの水切り作業ができるという効果を奏する。
【考案を実施するための最良の形態】
【０００８】  次に本考案を実施する際の最良な形態を図面に沿って説明する。図１及び図３に示すように、周囲をパネル４で囲った箱体２とすることにより、コンテナ２１に詰めた葉菜Ｗから遠心分離作用により周囲に飛び散る水の飛沫を抑えることが出来、また、箱体２の１側にモータＭ、インバータ１１を内蔵するコントロールボックス１０を設置したことにより、四季、天候、葉菜の状態に合わせて、回転速度、回転時間などを微妙に調節出来るようにし、箱体２の他の１側に出来るだけ大きい作業用扉５を設けて、水切りのため葉菜Ｗを充填したコンテナ２１を作業員が水切り室３に容易に運び入れることができ、終了したものを容易に運び出せるようにした。ちなみに、本考案の実施例における作業用扉５の寸法は、縦７０ｃｍ、横８５ｃｍである。箱体２の上面は開口とした。【０００９】  水切り室３に設置され、モータＭの駆動により回転軸１５とＶベルト１４を介して回転する円盤１６の上面内央には、直方体状の枠組みを持つ支持枠２０が固設されており、その支持枠２０の中にコンテナ２１を挿入し、載置され、その支持枠２０の対向した位置に設けられた２個の留め金具２３（図４参照）によりコンテナ２１は固定される。留め金具２３は円管部分と¬状をしたストッパ２４からなり、ストッパ２４は円管部分の中を進退出来るようにし、進出した時のストッパ２４′は、コンテナの孔２２に挿入されコンテナ２１を固定する。ストッパの形態は¬状としたが、そのハンドル部分の形状は視覚的、触覚的に多少の変化を付加してもよいことは勿論である。【００１０】  図３は、支持枠２０の中に載置する葉菜入りのコンテナ２１を示した図であり、コンテナ２１はアルミニュウム製であり、遠心力で葉菜Ｗに付着した水分を吹き飛ばし、その水分を逃がすために多孔性の容器としたものである。符号２５は回転時葉菜の移動を押さえるためのゴム紐である。ちなみに本考案における実施例では、葉菜Ｗの水切り作業は平均３５０ｒｐｍ、２０秒乃至３０秒で完了する。
【図面の簡単な説明】
【００１１】
【図１】本考案の葉菜類水切り機の一部破砕断面図である。
【図２】本考案における葉菜を詰めたコンテナを示す。
【図３】本考案の葉菜類水切り機の斜視図である。
【図４】本考案の留め金具の説明図である。
【符号の説明】
【００１２】Ｗ    葉菜
Ｍ    モータ
１    葉菜類水切り機
２    箱体
３
４    水切り室
５    パネル
６    作業用扉
７    蝶番
８    把手
１０  コントロールボックス
１１  インバータ
１２  つまみ
１３  箱体床部
１４  Ｖベルト
１５  回転軸
１６  円盤
１７  ボールベアリング
２０  支持枠
２１  コンテナ
２２  コンテナの孔
２３  留め金具
２４，２４′  ストッパ
２５  ゴム紐
0003103551.tif 000002
【手続補正書】
【提出日】平成16年2月12日(2004.2.12)
【手続補正１】
【補正対象書類名】図面
【補正対象項目名】図１
【補正方法】追加
【補正の内容】
【図１】
0003103551.tif 000003
【手続補正２】
【補正対象書類名】図面
【補正対象項目名】図２
【補正方法】追加
【補正の内容】
【図２】
0003103551.tif 000004
【手続補正３】
【補正対象書類名】図面
【補正対象項目名】図３
【補正方法】追加
【補正の内容】
【図３】
0003103551.tif 000005
【手続補正４】
【補正対象書類名】図面
【補正対象項目名】図４
【補正方法】追加
【補正の内容】
【図４】
0003103551.tif 000006
【手続補正書】
【提出日】平成16年2月16日(2004.2.16)
【手続補正１】
【補正対象書類名】明細書
【補正対象項目名】符号の説明
【補正方法】変更
【補正の内容】
【符号の説明】
【００１２】
Ｗ    葉菜
Ｍ    モータ
１    葉菜類水切り機
２    箱体
３    水切り室
４    パネル
５    作業用扉
６    蝶番
７    把手
１０  コントロールボックス
１１  インバータ
１２  つまみ
１３  箱体床部
１４  Ｖベルト
１５  回転軸
１６  円盤
１７  ボールベアリング
２０  支持枠
２１  コンテナ
２２  コンテナの孔
２３  留め金具
２４，２４′  ストッパ
２５  ゴム紐
【手続補正２】
【補正対象書類名】図面
【補正対象項目名】図２
【補正方法】変更
【補正の内容】
【図２】
0003103551.tif 000007